(57)【要約】【課題】  遠隔地間で同じ画像を表示する場合でも、ネットワークの負荷を軽減できると共に、データの秘匿性を確保できる情報処理システムを提供する。【解決手段】  第１の拠点に設置されたディスプレイ装置２１０に表示する画像を第２の拠点に設置された複数のディスプレイ装置３１０、３３０、３５０にそれぞれ表示する複数の表示制御装置３２０、３４０、３６０を有するシステム１００であって、表示制御装置３２０は、ファイルを複数の表示制御装置３２０、３４０、３６０の数に応じて分割した分割ファイルを第１の拠点のディスプレイ装置２１０を制御する表示制御装置２２０から受信する受信部３２４と、他の表示制御装置３４０、３６０が受信した残りの分割ファイルを取得する取得部３２３と、受信部３２４が受信した分割ファイルと取得部３２３が取得した分割ファイルに基づいて分割前の元のファイルを復元し、表示を制御する表示制御部３２１とを有する。【選択図】          図１
2008117330.tif 000002
【特許請求の範囲】
【請求項１】
所定のファイルに基づいて第１の拠点に設置された表示装置に表示する画像を第２の拠点に設置された複数の表示装置にそれぞれ表示する複数の表示制御装置を有する情報処理システムであって、
前記表示制御装置は、前記ファイルを前記第２の拠点に設置された複数の表示装置を制御する複数の表示制御装置の数に応じて分割した分割ファイルを前記第１の拠点の表示装置を制御する制御装置から受信する受信手段と、
前記他の表示制御装置が受信した元のファイルを復元するのに必要な残りの分割ファイルを取得する取得手段と、
前記受信手段が受信した分割ファイルと前記取得手段が取得した分割ファイルに基づいて前記分割前の元のファイルを復元し、該復元されたファイルに基づいて表示を制御する表示制御手段とを有することを特徴とする情報処理システム。
【請求項２】
前記表示制御手段は、前記第１の拠点の制御装置から受信した表示用コマンドに基づいて前記第２の拠点に設置された表示装置の表示を制御する請求項１に記載の情報処理システム。
【請求項３】
前記表示制御手段は、前記受信手段が受信した分割ファイルと前記取得手段が取得した分割ファイルをメモリ空間上に展開して前記元のファイルを復元する請求項１又は請求項２に記載の情報処理システム。
【請求項４】
前記ファイルを変換する変換手段と、
前記変換後のファイルを前記第２の拠点に設置された複数の表示装置を制御する複数の表示制御装置の数の断片に分割する分割手段とをさらに有する請求項１〜請求項３に記載の情報処理システム。
【請求項５】
前記変換手段は、符号化、暗号化および難読化のうちの少なくとも一つの手法により前記ファイルを変換する請求項４に記載の情報処理システム。
【請求項６】
前記分割手段は、前記ファイルを細分化し、前記細分化したファイルデータの並び替えを行い、前記並び替えたファイルデータを前記複数の表示制御装置の数に合わせて分類する請求項４又は請求項５に記載の情報処理システム。
【請求項７】
前記分割手段は、秘密分散法を用いる請求項４から請求項６のいずれかに記載の情報処理システム。
【請求項８】
前記表示制御装置は、前記受信した分割ファイルをネットワークを介して前記他の表示制御装置に転送する請求項１から請求項７のいずれかに記載の情報処理システム。
【請求項９】
前記情報処理システムは、前記分割ファイルを選択的に前記表示制御装置に送信する送信手段を有する請求項１から請求項８のいずれかに記載の情報処理システム。
【請求項１０】
前記送信手段は、前記複数の表示制御装置のうち一部の表示制御装置がダウンした場合に前記元のファイルを復元できるよう前記分割ファイルを選択的に送信する請求項９に記載の情報処理システム。
【請求項１１】
第１の拠点に設置された表示装置に表示する画像のファイルを第２の拠点に設置された複数の表示装置を制御する複数の表示制御装置の数に応じて分割する分割ステップと、
前記ファイルの一部としての分割ファイルを第２の拠点に設置された複数の表示装置の表示を制御する複数の表示制御装置に送信する送信ステップと、
前記複数の表示制御装置が分割ファイルを受信する受信ステップと、
前記他の表示制御装置が受信した元のファイルを復元するのに必要な残りの分割ファイルを取得する取得ステップと、
前記受信した分割ファイルと前記取得した分割ファイルに基づいて前記分割前の元のファイルを復元し、該復元されたファイルに基づいて表示を制御する表示制御ステップとを有することを特徴とする情報処理方法。
【請求項１２】
前記表示制御ステップは、前記第１の拠点の制御装置から受信した表示用コマンドに基づいて前記第２の拠点に設置された表示装置の表示を制御するステップを含む請求項１１に記載の情報処理方法。
【請求項１３】
前記表示制御ステップは、前記受信ステップで受信した分割ファイルと前記取得ステップで取得した分割ファイルをメモリ空間上に展開して前記元のファイルを復元するステップをさらに含む請求項１１又は請求項１２に記載の情報処理方法。
【請求項１４】
前記送信ステップは、前記複数の表示制御装置のうち一部の表示制御装置がダウンした場合に前記元のファイルを復元できるよう前記分割ファイルを選択的に送信する請求項１１から請求項１３のいずれかに記載の情報処理方法。
【発明の詳細な説明】
【技術分野】
【０００１】
本発明は、遠隔地間で同じ画像を表示できる情報処理システムおよび情報処理方法に関する。
【背景技術】
【０００２】
ネットワークにおけるデータ配信技術に、同じデータを複数の特定された宛先アドレスに配信するマルチキャストと呼ばれる技術がある。インターネットに代表されるようなネットワーク環境下で複数の遠隔地間で遠隔会議を行う場合、マルチキャストにおいて、遠隔会議で用いるデータを暗号化して配信することが要求される。安全なマルチキャストを実現するための暗号技術の１つとして、暗号化されたデータが、グループに属する端末装置の全部または一部が結託することによって初めて復号可能となるような暗号化装置が提案されている（特許文献１参照）。この暗号化装置は、受信グループとして選択されたサブセットに属する端末装置が協力することにより復号できるよう処理が行われている。
【特許文献１】特開２００３−１４３１２１号公報
【発明の開示】
【発明が解決しようとする課題】
【０００３】
しかしながら、遠隔地間で遠隔会議を行う場合、プレゼンテーション資料などのデータを複数の宛先（ｎヶ所）へ転送する場合、ユニキャストでは送信側に送信するデータサイズのｎ倍のデータトラフィックが発生してしまう。また、複数の宛先へデータを秘匿して送信するためには、1つ以上の暗号鍵が必要である。暗号鍵が1つの場合(共通鍵暗号方式の場合)は、ｎ+１ヶ所で同一の暗号鍵を持つ必要があり、その鍵をｎ+１ヶ所へ安全に配送するのが困難である。また，上述したマルチキャストで送受信を行うには，経路上のルータ等の全ての通信機器等がマルチキャストに対応している必要がある．マルチキャストが有効なネットワーク環境を準備するにはマルチキャスト対応通信機器の準備，マルチキャストに対応させるための高度な設定・運用などのコストがかかる問題がある．
【０００４】
また、複数の宛先へ公開鍵暗号方式を用いてデータを秘匿して送信するためには、送信側ではｎ個の公開鍵を用いて、ｎ回暗号化処理を行う必要があり、送信側のＣＰＵ（Central Processing Unit）資源を多く消費してしまい、送信するまでに時間が掛かってしまう。また、暗号化したデータを受信後に復号する場合、平文のデータがハードディスク装置内に蓄積されてしまうと、情報が漏洩する脆弱性がある。また、ハードディスク装置の盗難など単純な攻撃に対して弱い。
【０００５】
そこで、本発明は、上記問題点に鑑みてなされたもので、遠隔地間で同じ画像を表示する場合でも、ネットワークの負荷を軽減できると共に、データの秘匿性を確保できる情報処理システムおよび情報処理方法を提供することを目的とする。
【課題を解決するための手段】
【０００６】
上記課題を解決するために、本発明の情報処理システムは、所定のファイルに基づいて第１の拠点に設置された表示装置に表示する画像を第２の拠点に設置された複数の表示装置にそれぞれ表示する複数の表示制御装置を有する情報処理システムであって、前記表示制御装置は、前記ファイルを前記第２の拠点に設置された複数の表示装置を制御する複数の表示制御装置の数に応じて分割した分割ファイルを前記第１の拠点の表示装置を制御する制御装置から受信する受信手段と、前記他の表示制御装置が受信した元のファイルを復元するのに必要な残りの分割ファイルを取得する取得手段と、前記受信手段が受信した分割ファイルと前記取得手段が取得した分割ファイルに基づいて前記分割前の元のファイルを復元し、該復元されたファイルに基づいて表示を制御する表示制御手段とを有する。
【０００７】
本発明によれば、電子的な遠隔会議を行うなどの、ネットワークを介した複数の遠隔地と資料共有を行う際に、プレゼンテーション資料などのデータ全てを複数の宛先へ転送しないため、ネットワークへの負荷を軽減することができる。これによりデータ通信の効率を改善することができる。また、データを分割し，それぞれを暗号化して送ることによりデータの秘匿性を確保することができる。また、ファイルの盗聴／改竄を防止することができる。また、共通鍵暗号方式を採用する従来手法に比べて暗号鍵管理コストを削減することができる。また、公開鍵暗号方式を採用していた従来手法に比べて，暗号化の対象ファイルは分割されているためファイルサイズが小さくなり，暗号化処理のための計算機リソースを節約することができる。また暗号化の処理時間を短縮することで，データ転送開始までの時間を短縮することができる。
【０００８】
前記表示制御手段は、前記第１の拠点の制御装置から受信した表示用コマンドに基づいて前記第２の拠点に設置された表示装置の表示を制御する。前記表示制御手段は、前記受信手段が受信した分割ファイルと前記取得手段が取得した分割ファイルをメモリ空間上に展開して前記元のファイルを復元する。本発明の情報処理システムは、前記ファイルを変換する変換手段と、前記変換後のファイルを前記第２の拠点に設置された複数の表示装置を制御する複数の表示制御装置の数の断片に分割する分割手段とをさらに有する。
【０００９】
前記変換手段は、符号化、暗号化および難読化のうちの少なくとも一つの手法により前記ファイルを変換する。前記分割手段は、前記ファイルを細分化し、前記細分化したファイルデータの並び替えを行い、前記並び替えたファイルデータを前記複数の表示制御装置の数に合わせて分類する。
【００１０】
前記分割手段は、例えば秘密分散法を用いる。現在主流である暗号方式は、秘匿したいデータＡを暗号化する場合に、データＡを暗号鍵を用いて暗号化する。復号するときは、両者を組み合わせてデータＡをとりだす仕組みを採用している。暗号鍵がなくとも莫大な計算機リソースを注ぐことで、暗号化したデータは解読されてしまう可能性がある。これに対し、秘密分散法(Secret Sharing Schemes)はデータＡをＮ個の無価値なデータに分割、分散することで、情報の盗難リスクを低減させる仕組みである。この秘密分散法を使うことで、分割したピースの一部を盗まれたとしても、データＡを復元することはできないので、秘密情報の管理に適している。
【００１１】
前記表示制御装置は、前記受信した分割ファイルをネットワークを介して前記他の表示制御装置に転送する。前記情報処理システムは、前記分割ファイルを選択的に前記表示制御装置に送信する送信手段を有する。前記送信手段は、前記複数の表示制御装置のうち一部の表示制御装置がダウンした場合に前記元のファイルを復元できるよう前記分割ファイルを選択的に送信する。
【００１２】
本発明の情報処理方法は、第１の拠点に設置された表示装置に表示する画像のファイルを第２の拠点に設置された複数の表示装置を制御する複数の表示制御装置の数に応じて分割する分割ステップと、前記ファイルの一部としての分割ファイルを第２の拠点に設置された複数の表示装置の表示を制御する複数の表示制御装置に送信する送信ステップと、前記複数の表示制御装置が分割ファイルを受信する受信ステップと、前記他の表示制御装置が受信した元のファイルを復元するのに必要な残りの分割ファイルを取得する取得ステップと、前記受信した分割ファイルと前記取得した分割ファイルに基づいて前記分割前の元のファイルを復元し、該復元されたファイルに基づいて表示を制御する表示制御ステップとを有する。
【００１３】
本発明によれば、電子的な遠隔会議を行うなどの、ネットワークを介した複数の遠隔地と資料共有を行う際に、プレゼンテーション資料などのデータ全てを複数の宛先へ転送しないため、ネットワークへの負荷を軽減することができる。また、データを分割して送ることによりデータの秘匿性を確保することができる。共通鍵暗号方式を採用する従来手法に比べて暗号鍵管理コストの削減することができる。公開鍵暗号方式を採用していた従来手法に比べて計算機リソースを節約することができる。さらに、データ転送開始までの時間を短縮することができる。
【００１４】
前記表示制御ステップは、前記第１の拠点の制御装置から受信した表示用コマンドに基づいて前記第２の拠点に設置された表示装置の表示を制御するステップを含む。前記表示制御ステップは、前記受信ステップで受信した分割ファイルと前記取得ステップで取得した分割ファイルをメモリ空間上に展開して前記元のファイルを復元するステップをさらに含む。前記送信ステップは、前記複数の表示制御装置のうち一部の表示制御装置がダウンした場合に前記元のファイルを復元できるよう前記分割ファイルを選択的に送信する。
【発明の効果】
【００１５】
本発明によれば、遠隔地間で同じ画像を表示する場合でも、ネットワークの負荷を軽減できると共に、データの秘匿性を確保できる情報処理システムおよび情報処理方法を提供することができる。
【発明を実施するための最良の形態】
【００１６】
以下、本発明を実施するための最良の形態について説明する。図１は、本発明の実施形態に係るシステム（情報処理システム）の全体構成を示す図である。図１に示すように、本発明の実施形態に係るシステム１００は、第１の拠点装置２００と第２の拠点装置３００を有する。第１の拠点装置２００と第２の拠点装置３００とはインターネットなどのネットワーク４００を介して双方向にデータの送受信ができるよう接続されている。ここでは、第１の拠点装置２００と第２の拠点装置３００間で遠隔会議を行うケースを想定する。
【００１７】
第１の拠点装置２００は、ディスプレイ装置２１０と表示を制御する表示制御装置２２０とを有する。この表示制御装置２２０は、例えばＣＰＵ、ＲＡＭおよびＲＯＭなどにより構成され、表示制御部２２１、メモリ２２２、分割部２２３、送信部２２４および記憶部２２５を備える。これらは内部バス２２６を介して相互に接続されている。
【００１８】
表示制御部２２１は、例えばＡＳＩＣ（Application Specific Integrated Circuit）などにより構成され、ディスプレイ装置２１０の表示を制御する。メモリ２２２は、ＣＰＵの作業領域として用いられる。分割部２２３は、第２の拠点装置３００の表示制御装置３２０、３４０、３６０の数に応じてプレゼンテーション用ファイルを分割する。このとき、分割部２２３は、秘密分散法を用いてファイルを分割する。これによりデータの秘匿性を向上させることができる。
送信部２２４は、分割した分割ファイルを選択的に第２の拠点装置３００の表示制御装置３２０、３４０、３６０に送信する。記憶部２２５は、例えばハードディスク装置などにより構成され、表示制御装置２２０で処理されるデータやプログラムが格納されている。
【００１９】
第２の拠点装置３００は、ディスプレイ装置３１０、３３０、３５０、表示制御装置３２０、３４０、３６０を備える。表示制御装置３２０、３４０、３６０はＬＡＮなどの内部ネットワーク３７０を介して相互にデータの送受信ができるよう接続されている。表示制御装置３２０、３４０、３６０は、全て同じ構成であるため、ここでは表示制御装置３２０を例にとって説明する。
【００２０】
表示制御装置３２０は、所定のファイルに基づいて第１の拠点に設置されたディスプレイ装置２１０に表示する画像を第２の拠点に設置されたディスプレイ装置３１０に表示する。この表示制御装置３２０は、表示制御部３２１、メモリ３２２、取得部３２３、受信部３２４および記憶部３２５を有し、これらは内部バス３２６を介して接続されている。この表示制御装置３２０は、例えばＣＰＵ、ＲＡＭ(Random Access Memory)およびＲＯＭ(Read Only Memory)などを用いて構成されている。
表示制御部３２１は、例えばＡＳＩＣなどにより構成され、ディスプレイ装置３１０の表示を制御する。メモリ３２２は、ＣＰＵの作業領域として用いられる。
【００２１】
取得部３２３は、他の表示制御装置３４０および３６０から元のファイルを復元するのに必要な分割ファイル（断片）を取得する。ファイルＸを第２の拠点に設置された複数のディスプレイ装置３１０をそれぞれ制御する複数の表示制御装置３２０、３４０、３６０の数に応じて分割された断片を第１の拠点のディスプレイ装置２１０を制御する表示制御装置２２０から受信するものである。記憶部３２５は、例えばハードディスク装置により構成され、受信部３２４が受信した分割ファイルを格納する。なお、記憶部３２５には取得部３２３が取得した分割ファイルは格納しない。これにより悪意のある第三者によって取得部３２４が取得した分割ファイルを使用されることはない。
【００２２】
次に、第１の拠点装置２００の表示制御装置２２０の動作について説明する。図２は、第１の拠点装置２００の表示制御装置２２０の動作フローチャートである。まず、利用者は第１の拠点装置２００のディスプレイ装置２１０を用いてプレゼンテーションを行う場合の例について説明する。このとき、システム１００は、第１の拠点装置２００のディスプレイ装置２１０に表示するスライド画像を第２の拠点装置２００のディスプレイ装置３１０、３３０、３５０にも表示するように以下のような処理を行う。
【００２３】
利用者は、プレゼンテーション用のファイルＸを予め記憶部２２５に記憶しておく。また、第１の拠点装置２００の表示制御装置２２０は、所定のコマンドをネットワーク４００に流して、ネットワーク４００に接続されている表示制御装置の台数、処理容量などの情報を取得しておく。利用者がプレゼンテーションを行うとき、表示制御装置２２０に対して所定の表示指示を与えることにより（ステップＳ１１）、記憶部２２５内のプレゼンテーション用ファイルＸのデータがメモリ２２２上に展開される（ステップＳ１２）。表示制御部２２１は、利用者のページを操作する指示に基づいてディスプレイ装置２１０にプレゼンテーション用のスライドを表示する（ステップＳ１３）。
【００２４】
次に、分割部２２３は、第２の拠点装置３００の表示制御装置３２０、３４０、３６０の数に応じてファイルＸを分割する（ステップＳ１４）。ここでは、分割部２２３は、ファイルＸを断片ａ、断片ｂおよび断片ｃに分割する。
【００２５】
具体的には、分割部２２３は、上記表示制御部２２１による処理と並行して、ファイルＸを符号化、暗号化又は難読化により変換する。次に、分割部２２３は、変換したファイルを細分化し、この細分化したデータを並び替える。分割部２２３は、並び替えたデータを複数の表示制御装置３２０、３４０、３６０の数に合わせて分類する。これにより、分割ファイルである断片がｎ個に分割される。分割部２２３は、以上の過程において秘密分散法などのように類推されない方法を用いてファイルＸを分割する。
【００２６】
そして、送信部２２４は、分割した断片ａを遠隔地の第２の拠点装置３００の表示制御装置３２０へ送信し、断片ｂを表示制御装置３４０へ送信し、断片ｃを表示制御装置３５０へそれぞれ送信する（ステップＳ１５）。このとき、通信路は、ＩＰｓｅｃ（IP Security）などで暗号化されているとなおよい。また、送信部２２４は、上記断片ａ、断片ｂ、断片ｃの送信と同時に表示制御部２２１が指示するプレゼンテンション用ファイルＸのデータを表示するコマンドを第２の拠点装置３００の表示制御装置３２０、３４０、３６０にそれぞれ送信する（ステップＳ１６）。
【００２７】
その後、利用者のページを操作する指示を受け付けると、第１の拠点装置２００の表示制御部２２１は、ファイルＸのデータに基づいてスライド画像をディスプレイ装置２１０に表示し、表示用コマンドに従ってスライド画像のページが順次切り替わる。
【００２８】
次に、第２の拠点装置３００の表示制御装置３２０の動作について説明する。図３は、第２の拠点装置３００の表示制御装置３２０の動作フローチャートである。各表示制御装置３２０、３３０、３４０の動作は同じであるため、ここでは表示制御装置３２０の動作を例にとって説明する。受信部３２４は、第１の拠点装置２００の表示制御装置２２０によって送られた断片ａを受信する（ステップＳ２１）。受信部３２４は、受信した断片ａを記憶部３２５に記憶する（ステップＳ２２）。
【００２９】
表示制御装置３２０の取得部３２３は、元のファイルを復元するのに必要な残りの断片を他の表示制御装置３４０、３６０に転送要求を行う（ステップＳ２３）。表示制御装置３４０は、転送要求を受けると、自身が受信した断片ｂを内部ネットワーク３７０を介して表示制御装置３２０に転送する。表示制御装置３６０は、転送要求を受けると、自身が受信した断片ｃを内部ネットワーク３７０を介して表示制御装置３２０に転送する。このとき通信路はIPsecなどで暗号化されているとなおよい。
【００３０】
そして、取得部３２３は、元のファイルＸを復元するのに必要な、他の表示制御装置３４０、３６０が受信した残りの断片ｂ、断片ｃを取得する（ステップＳ２４）。このとき、取得部３２３は、断片ｂ、断片ｃを記憶部３２５へは保存しない。表示制御部３２１は、受信部３２４が受信して記憶部３２５に記憶した断片ａと取得部３２３が表示制御装置３４０、３６０から取得した断片ｂ、断片ｃに基づいて分割前の元のファイルＸを復元する（ステップＳ２５）。
【００３１】
このとき、表示制御部３２１は、受信部３２４が受信した断片ａと取得部３２３が取得した断片ｂおよび断片ｃをメモリ３２２のメモリ空間上に展開して元のファイルＸを復元する。
【００３２】
具体的には、表示制御部３２１は、取得部３２３が他の表示制御装置３４０、３６０からそれぞれコピーした断片ｂ、断片ｃをメモリ３２２のメモリ空間上に展開する。さらに、表示制御部３２１は、記憶部３２５から断片ａをメモリ３２２のメモリ空間上に展開する。そして、表示制御部３２１はメモリ空間上で断片ａ、断片ｂ、断片ｃがそろうと、これらの断片ａ、断片ｂ、断片ｃに基づいて元のファイルＸを復元する。このようにして、断片ｂと断片ｃについてはメモリ上のみで展開されるため、第三者に断片ｂと断片ｃの内容が知られることがないので、悪意のある第三者により元のファイルＸを復元されることはない。
【００３３】
表示制御部３２１は、この復元されたファイルＸに基づいてディスプレイ装置３１０の表示を制御する（ステップＳ２６）。具体的には、画面へ表示するプログラムがメモリ空間上のデータを読み込み、この読み込んだデータに基づいてディスプレイ装置３１０へ画像を表示する。そして、表示制御部３２１は、第１の拠点装置２００の表示制御装置２２０から受信した表示用コマンドに基づいてディスプレイ装置３１０の表示を制御し、表示用コマンドに従って、スライド画像を順次表示する。
【００３４】
なお、表示制御装置３４０は、表示制御装置３２０から断片ａ、表示制御装置３６０から断片ｃを取得して、第１の拠点装置２００から受信した断片ｂとあわせて元のファイルＸを復元する。同様に、表示制御装置３６０は、表示制御装置３２０から断片ａ、表示制御装置３４０から断片ｂを取得して、第１の拠点装置２００から受信した断片ｃとあわせて元のファイルＸを復元する。このようにして、各表示制御装置３２０、３４０、３６０は復元したファイルＸに基づいてディスプレイ装置３１０、３３０、３５０に第１の拠点装置２００のディスプレイ装置２１０に表示されたものと同じスライド画像を表示することができる。
【００３５】
また、送信部２２４は、複数の表示制御装置３２０、３４０、３６０のうち一部の表示制御装置がダウンした場合に元のファイルＸを復元できるよう分割ファイルを選択的に送信すると良い。例えば、第２の拠点装置３００内のある表示制御装置がダウンした場合に備えて、第１の拠点装置２００の送信部２２４は、断片ａおよび断片ｂを第２の拠点装置３００の表示制御装置３２０へ転送し、断片ｃ、断片ａを表示制御装置３４０へ転送し、断片ｂおよび断片ｃを表示制御装置３６０へ転送する。
【００３６】
図４は、上記のように断片を転送したときに各記憶部３２５、３４５、３６５内に記憶された断片を説明するための図である。図４に示すように、記憶部３２５には断片ａおよび断片ｂが記憶され、記憶部３４５には断片ｃおよび断片ａが記憶され、記憶部３６５には断片ｂおよび断片ｃが記憶されている。送信部２２４がこのように断片を送信することにより、例えば表示制御装置３６０がダウンして表示制御装置３６０を介して記憶部３６５に記憶された断片ｂおよび断片ｃを取得することができなくても、他の表示制御装置３２０および３４０は表示制御装置３２０、３４０相互間で断片をコピーしあうことにより元のファイルＸを復元することができる。
【００３７】
また、例えば記憶部３６５が故障することによって表示制御装置３６０が記憶部３６５内の断片を他の表示制御装置３２０および３４０に転送することができない場合であっても、表示制御装置３２０および３４０間でデータをコピーし合うことによって、各表示制御装置３２０および３４０は元のファイルＸを復元することができる。このようにして系の堅牢度を向上できる。
【００３８】
上記システムによれば、ファイルを分割して送ることによりデータ転送量を少なくでき、共有リソース(ネットワーク帯域、ＣＰＵパワー)を効率的に利用できる。またファイルを分割して送ることにより転送開始時間および転送終了時間を短縮できる。またファイルを分割して送ることによりデータの秘匿性を確保できる。さらに暗号化を特に行う必要がないため暗号鍵管理コストを削減できる。また、表示制御装置がダウンした場合や記憶部が故障した場合でも元のファイルを復元できるように断片を送信することにより、データ完全性が向上し、また系の堅牢度合いが向上する。分割・復元処理方法を毎回変えることで、推測されにくい断片ファイルが生成される。
【００３９】
なお、本発明による情報処理方法は、表示制御装置内のＣＰＵがプログラムを実行することにより各ステップが実行される。
【００４０】
以上本発明の好ましい実施例について詳述したが、本発明は係る特定の実施例に限定されるものではなく、特許請求の範囲に記載された本発明の要旨の範囲内において、種々の変形、変更が可能である。なお、上記においてスライド画像を例にとって説明したが、本発明はこれには限定されることなく表示装置に表示するものであればどのような画像であっても良い。また、図１では２つの遠隔地を例にとって説明したがさらに複数の遠隔地間で分割ファイルの送信が行われるようにしてもよい。また上記では分割ファイルを送るときに暗号化を行わずに送る例について説明したが、分割ファイルを暗号化して送るようにしてもよい。さらに、各表示制御装置は一つのサーバにより構成されていてもよいし、処理の効率化を図る場合などは複数のサーバにより構成されていてもよい。
【図面の簡単な説明】
【００４１】
【図１】本発明の実施形態に係るシステムの全体構成を示す図である。
【図２】第１の拠点装置の表示制御装置の動作フローチャートである。
【図３】第２の拠点装置の表示制御装置の動作フローチャートである。
【図４】断片を転送したときに各記憶部内に記憶された断片を説明するための図である。
【符号の説明】
【００４２】
１００  システム
２００  第１の拠点装置
２１０  ディスプレイ装置
２２０  表示制御装置
３００  第２の拠点装置
３１０、３３０、３５０  ディスプレイ装置
３２０、３４０、３６０  表示制御装置
【図１】
2008117330.tif 000003
【図２】
2008117330.tif 000004
【図３】
2008117330.tif 000005
【図４】
2008117330.tif 000006